(57)【要約】      （修正有） 【課題】簡単な手段でゴルフの打球の球筋を矯正できるゴルフ用グローブを提供する。【解決手段】所定の材質で形成され、装着緊締部を備えたグローブ本体１において、グローブ本体の内面の球筋矯正に対応する所定位置に、グローブ本体を構成する基布１枚分の厚さのゴムバンドをグローブ本体に伸縮可能に縫合形成した帯状凸部３を設ける。例えばスライス改善用グローブの帯状凸部は、掌面の薬指と小指の基節に対応する位置に設けた薬指凸部３３及び小指凸部３４と、掌面の薬指の根元から拇指中節基部を回り、手甲の人差し指根本まで達するまでに設けた拇指根元短帯凸部３５とする。【選択図】図１
0003212738.tif 000002
【実用新案登録請求の範囲】
【請求項１】
所定の材質で形成され、装着緊締部を備えたグローブ本体において、グローブ本体の内面の球筋矯正に対応する所定位置に、グローブ本体を構成する基布１枚分の厚さのゴムバンドを、グローブ本体に伸縮可能に縫合して形成した帯状凸部を設けてなることを特徴とするゴルフ用グローブ。
【請求項２】
帯状凸部が、掌面の薬指と小指の基節に対応する位置に設けた薬指凸部及び小指凸部と、掌面の薬指の根元から拇指中節基部を回り、手甲の人差し指根本まで達するまでに設けた拇指根本短帯凸部であるスラスイス矯正用とした請求項１記載のゴルフ用グローブ。
【請求項３】
帯状凸部が、掌面の人差し指と中指の基節に対応する位置に設けた人差し指凸部及び中指凸部と、掌面の中指の根元から小指側の根元に至る小指根元長帯凸部と、手甲の小指根元からの中指根本までに達する手甲指元凸部であるフッカー矯正用とした請求項１記載のゴルフ用グローブ。
【請求項４】
帯状凸部が、掌面の中指と薬指の基節に対応する位置に設けた中指凸部及び薬指凸部と、小指の根元に設けた小指根元短凸部と、親指根本周囲から手の甲を回り、手甲の小指根本までに達する拇指根本長帯凸部を設けて飛距離増強用とした請求項１記載のゴルフ用グローブ。
【考案の詳細な説明】
【技術分野】
【０００１】
本考案は、ゴルフ用グローブに関するものである。
【背景技術】
【０００２】
ゴルフプレーに際して、ゴルファーは、通常左手にグローブを装着してプレーを行っている。グローブの主たる目的はゴルフクラブを確りと握ることで、スイング時にグリップが滑ったり、ずれたりすることを防止するためである。
【０００３】
そこで従前においては、グリップとの滑り等を防止することのために、グローブの手のひら部分に滑り止め構造を採用することが提案されている。例えば特許文献１（登録実用新案第３０６０２０２号公報）には、グローブのグリップ握持面に、クラブの軸線方向に一致する複数の突条を貼着する手段が開示されている。また特許文献２（特開２００２−１７９３９号公報）には、グローブとクラブのグリップ表面に面ファスナーを設け、グリップの握持時に互いに面ファスナーで係止される手段が開示されている。また特許文献３（特開２００４−１８１１４５号公報）には、グローブの手のひらの所望位置に蒲鉾形状のパットを面ファスナーで装着する手段が開示されている。
【０００４】
ところでゴルファーのスイングの癖や打ち方によって打球が曲がることは周知のことであり、球筋（打球の曲がり）の改善のために、従前から身体に装着するスイング矯正器具などが提案されている（特許文献４：登録実用新案３０７９７３３号公報）。
【先行技術文献】
【特許文献】
【０００５】
【特許文献１】登録実用新案第３０６０２０２号公報。
【特許文献２】特開２００２−１７９３９号公報。
【特許文献３】特開２００４−１８１１４５号公報。
【特許文献４】登録実用新案第３０７９７３３号公報。
【考案の概要】
【考案が解決しようとする課題】
【０００６】
ゴルファーの打球は、プレーヤーのスイングに際しての僅かな手の動作（プレーヤーのスイングの癖）で、スライス系の打球やフック系の打球となってしまう。練習を繰り返すことで改善されるが、本考案は、グリップ時の手の筋肉の動作が前腕の回動動作（所謂腕の返し）に影響を与えることに着目し、打球の球筋を改善するゴルフ用グローブを提案したものである。
【課題を解決するための手段】
【０００７】
本考案に係るゴルフ用グローブは、所定の材質で形成され、装着緊締部を備えたグローブ本体において、グローブ本体の内面の球筋矯正に対応する所定位置に、グローブ本体を構成する基布１枚分の厚さのゴムバンドをグローブ本体に伸縮可能に縫合して形成した帯状凸部を設けてなることを特徴とするものである。
【０００８】
前腕の運動は、拇指を真上に向けた位置を中間点として、回内、回外ともにほぼ９０度の可動域を有し、拇指側の握りが強い場合と、小指側の握りが強い場合とでは、前腕の回動運動（前腕の返し動作）のし易さに差異がある。従ってゴルフスイングにおいて、当該前腕の動作に対応する掌の所定の筋肉（主動筋）に刺激（押圧）を与え、前腕の動きを微妙にコントロールして、スイング動作を自然に改善し、所望の球筋を得るスイングを可能としたものである。
【０００９】
具体的には、スライス矯正用のグローブ（請求項２記載の考案）は、帯状凸部を、掌面の薬指と小指の基節に対応する位置に設けた薬指凸部（３３）及び小指凸部（３４）と、掌面の薬指の根元から拇指中節基部を回り、手甲の人差し指根本まで達するまでに設けた拇指根元短帯凸部（３５）としたものである。
【００１０】
スライスの原因の一つとして、拇指（第一指）、人差し指（第二指）による過度な把握、或いは拇指側の全体の遠位アーチ（指方向の握り湾曲）が強すぎるために、前腕の返しがスムーズに行われないことが認められる。そこで、グリップに際して薬指（第四指）及び小指（第五指）の基節部に押圧する薬指凸部及び小指凸部を設け、従前の握時の強さでも薬指（第四指）及び小指（第五指）のクリップ力が高められ、拇指根元短帯凸部を設けて拇指側の近位アーチ（指横断横断方向の湾曲）を押圧することで、反射的に遠位アーチが緩められることになり、前記のスライスの原因を自然に取り除くものである。
【００１１】
フック矯正用のグローブ（請求項３記載の考案）は、帯状凸部を、掌面の人差し指と中指の基節に対応する位置に設けた人差し指凸部（３１）及び中指凸部（３２）と、掌面の中指の根元から小指側の根元に至る小指根元長凸部（３８）と、手甲の小指根元からの中指根本までに達する手甲指元凸部（３９）としたものである。
【００１２】
フックの原因としては、小指（第五指）による過度な把握、或いは小指側の遠位アーチが強すぎるもので、グリップに際して人差し指凸部（３１）及び中指凸部（３２）を設け、人差し指（第二指）及び中指（第三指）のクリップ力を高め、合わせて小指根元長凸部（３８）と手甲指元凸部（３９）で小指側の近位アーチを押圧して刺激し、反射的に小指側の遠位アーチを緩め、前記のフックの原因を自然に取り除くものである。
【００１３】
飛距離増加用のグローブ（請求項４記載の考案）は、帯状凸部を、掌面の中指と薬指の基節に対応する位置に設けた中指凸部（３２）及び薬指凸部（３３）と、小指の根元に設けた小指根元短凸部（３７）と、親指根本周囲から手の甲を回り、手甲の小指根本までに達する拇指根本長帯凸部（３６）を設けたものである。
【００１４】
グリップに際し拇指（第一指）、人差し指（第二指）、小指（第五指）の過度な把握は、手全体の遠位アーチ及び近位アーチを構成する各筋を緊張させ、肘筋、上腕三頭筋に肘関節の伸展を疎外する。つまり肘の蝶番関節のロックによって引き起こされる手に対する運動量の転移（手首の伸展による）が疎外され、結果ヘッドスピードが上がらない原因となっている。
【００１５】
しかし、中指凸部（３２）及び薬指凸部（３３）による手全体グリップ力を増加させて、手全体の握持バランスがとられ、小指根元短凸部（３７）と拇指根本長帯凸部（３６）で手の遠近位アーチ全体を刺激して、反射的に過度のグリップ把握を阻止して、前腕の回転動作をスムーズにさせ、クラブのヘッドスピードを上げるものである。
【考案の効果】
【００１６】
本考案の構成は上記のとおり、グリップのアンバランスによる打球の球筋の欠点を、単に矯正目的に応じたグローブの所定位置に、圧布１枚分の厚さゴムバンドをグローブ本体に伸縮可能に縫合して形成した帯状凸部を設けるという簡単な構造のグローブを使用することで解決できたものである。
【図面の簡単な説明】
【００１７】
【図１】本考案の第一実施例のグローブの表裏正面図。
【図２】同グリップ直前の説明図。
【図３】同第二実施例のグローブの表裏正面図。
【図４】同第三実施例のグローブの表裏正面図。
【図５】各実施例の実証試験の平均データ表。
【考案を実施するための形態】
【００１８】
次に本考案の実施形態について説明する。本考案に係るゴルフ用グローブは、基本構成は従前の物と同様で、グローブ本体１は、天然皮革、人口皮革等の素材で形成され、手の甲手首側に装着緊締部２を設けたものである。
【００１９】
本考案は、前記のグローブ本体の内側面の所定位置に、グローブ本体を構成する基布１枚分の厚さのゴムバンド３を伸縮可能に縫合して、長短の帯状凸部を設けたもので、帯状凸部の位置及び範囲は、矯正目的に対応して設けるものである。
【００２０】
図１，２はスライス矯正用のグローブ（第一実施例）を示すもので、帯状凸部は、掌面の薬指と小指の基節に対応する位置に設けた薬指凸部３３及び小指凸部３４と、掌面の薬指の根元から拇指中節基部を回り、手甲の人差し指根本までに達するまでに設けた拇指根元短帯凸部３５としたものである。
【００２１】
また図３は、フック矯正用のグローブ（第二実施例）を示すもので、帯状凸部を、掌面の人差し指と中指の基節に対応する位置に設けた人差し指凸部３１及び中指凸部３２と、掌面の中指の根元から小指側の根元に至る小指根元長凸部３８と、手甲の小指根元からの中指根本までに達する手甲指元凸部３９としたものである。
【００２２】
また図４は、飛距離増加用のグローブ（第三実施例）を示したもので、帯状凸部を、掌面の中指と薬指の基節に対応する位置に設けた中指凸部３２及び薬指凸部３３と、小指の根元に設けた小指根元短凸部３７と、親指根本周囲から手の甲を回り、手甲の小指根本までに達する拇指根本長帯凸部３６を設けたものである。
【００２３】
前記の各実施例のグローブの効果確認実験を行った。被験者は、２０歳代から６０歳代までのアベレージゴルファー３１人に対して、自己所有のクラブ（ドライバー）で、通常使用しているグローブと、第一〜三実施例の各グローブを装着し、各々３球打撃し、スライス及びフックの球筋に対しては、打撃位置からの直線目標を基準線とし、落下点の基準線から鉛直距離（スライス幅、フック幅）を計測し、飛距離は打撃位置と落下点の直接距離を計測した。
【００２４】
被験者の全打球の平均値は、図５のとおりで、第一実施例のグローブを使用した場合のスライス幅は１６．３ヤードから５．４ヤードの改善が認められ、第二実施例のグローブを使用した場合のフック幅は１３．７ヤードから４．８ヤードの改善が認められた。また第三実施例のグローブを使用した場合の飛距離平均は２１３ヤードから２２１ヤードまで伸びたことが確認できた。
【符号の説明】
【００２５】
１      グローブ本体
２      装着緊締部
３      ゴムバンド（帯状凸部）
３１    人差し指凸部
３２    中指凸部
３３    薬指凸部
３４    小指凸部
３５    拇指根元短帯凸部
３６    拇指根本長帯凸部
３７    小指根元短凸部
３８    小指根元長凸部
３９    手甲指元凸部
【図１】
0003212738.tif 000003
【図２】
0003212738.tif 000004
【図３】
0003212738.tif 000005
【図４】
0003212738.tif 000006
【図５】
0003212738.tif 000007